(57)【要約】【課題】取り付けが簡単で、電柱の根元付近の接地線の保護が容易に可能な接地線保護具を提供する。【解決手段】接地線保護具１は、電柱２の上部に設置した機器と電柱２の下部の地面に埋設した接地電極とを接続する接続線、及びこの接続線を内部に挿入して、接続線を保護する合成樹脂管３をステンレスバンド４によって固定した電柱２に対し、電柱２の根元付近に取り付けて合成樹脂管３及び内部の接続線を保護する。接地線保護具１はステンレス板によって構成され、長手方向の中心線に曲げ部１ａが形成され、地中に埋設させる部分が先細り状に形成されており、取り付け作業時において前記下部を埋設することによって接地線保護具１を仮固定してからにステンレスバンド４によって固定する。【選択図】図３
2006353069.tif 000002
【特許請求の範囲】
【請求項１】
電柱の上部に設置された電気機器と地中に埋設された接地極との間を電気的に接続しかつ前記電柱の表面に前記電柱の軸方向に沿って固定された接地線において前記電柱の反対側に配置される接地線保護具であって、
地中に埋設される埋設部と、該埋設部に隣接し地上に露出される露出部と、を有する硬質の板状部材を備えたことを特徴とする接地線保護具。
【請求項２】
前記板状部材は、前記埋設部及び前記露出部にわたり前記軸方向と略平行な折り曲げ線で折り曲げられていることを特徴とする請求項１に記載の接地線保護具。
【請求項３】
前記板状部材の平面形状は、前記埋設部及び前記露出部にわたり互いに平行な縁部を有する略縦長ホームベース状であり、前記縁部の伸びる方向は前記軸方向と平行であることを特徴とする請求項１又は２に記載の接地線保護具。
【請求項４】
前記埋設部の平面形状は、前記露出部の反対側のエッジとこれに交差する一方及び他方のエッジとによって形成される一方及び他方の角を有する矩形状であり、
前記埋設部は、前記一方の角から所定の距離だけ離れた位置に設けられた仮想的な折り曲げ線で折り曲げられた一方の折り曲げ部分と、前記他方の角から所定の距離だけ離れた位置に設けられた仮想的な折り曲げ線で折り曲げられた他方の折り曲げ部分と、前記露出部から離れるにつれて先細りになる先端部分と、を有することを特徴とする請求項１又は２に記載の接地線保護具。
【請求項５】
前記板状部材は、前記軸方向に平行な方向に伸びる一方及び他方のエッジから所定の距離だけ離れた位置に設けられた折り曲げ線で折り返されていることを特徴とする請求項３又は４に記載の接地線保護具。
【請求項６】
前記露出部は、前記埋設部の反対側のエッジから所定の距離だけ離れた位置に設けられた折り曲げ線で折り曲げられていることを特徴とする請求項１から５のいずれかに記載の接地線保護具。
【請求項７】
前記露出部は、該露出部のうち、前記埋設部に隣接する部分の少なくとも一部を含む所定の範囲に、前記露出部と前記埋設部との境界を示す指標部を有することを特徴とする請求項１から６のいずれかに記載の接地線保護具。
【請求項８】
前記露出部と前記電柱との間に前記接地線を配置して、前記板状部材を前記電柱に固定する固定部を備えることを特徴とする請求項１から７のいずれかに記載の接地線保護具。
【請求項９】
前記露出部は、前記露出部と前記電柱との間に前記接地線を配置して、前記板状部材と前記接地線とを前記電柱に取り付けるための帯状部材が巻かれる位置を示す取付位置表示部を有することを特徴とする請求項１から７のいずれかに記載の接地線保護具。
【請求項１０】
前記露出部は、前記露出部と前記電柱との間に前記接地線を配置して、前記板状部材と前記接地線とを前記電柱に取り付けるための帯状部材が配置される孔部若しくは溝部又はこれらの組み合わせを有することを特徴とする請求項１から７のいずれかに記載の接地線保護具。
【請求項１１】
前記露出部は、前記接地線に関する情報を表示する接地線表示部を設けたことを特徴とする請求項１から１０のいずれかに記載の接地線保護具。
【請求項１２】
前記板状部材は、ステンレス材料であることを特徴とする請求項１から１１のいずれかに記載の接地線保護具。
【請求項１３】
請求項１から１２のいずれかに記載の接地線保護具と、該接地線保護具を帯状部材によって巻き付け固定された電柱と、を備え、該電柱は地面に下部が埋設され、接地線が取り付けられており、前記接地線は前記電柱の軸線方向に伸びるように配置され前記接地線保護具によって覆われたことを特徴とする草地設置用電柱。
【発明の詳細な説明】
【技術分野】
【０００１】
本発明は、電柱に設置された変圧器等の機器を接地するための接地線を保護する接地線保護具及び接地線保護具付き電柱に関する。
【背景技術】
【０００２】
電柱に変圧器や避雷器等の電気機器を設置する場合には、その電気機器が設置される箇所に応じて、電気機器と地中に埋設された接地極との間を電気的に接続する接地工事を行うことが義務付けられている。この接地工事は電気設備技術基準及び内線規定に従って行われる。
【０００３】
接地工事とは、地中に埋設した接地極と電柱に設置されている変圧器等の電気機器、避雷器、その他接地を必要とする電気機器との間を接続線によって接続する工事である。接続線が電柱の外側にある場合には、接続線を電柱に密着させて帯状の固定部材を接続線とともに電柱に巻いて、締め付けることによって、接続線を電柱に固定させる工事が行われる。
【０００４】
従来、この種の技術としては特許文献１に記載されている技術がある。この特許文献１には、コンクリート電柱の接地極及び接地方法の記載がある。特許文献１は、電柱に架線されたグランド線と地中の接地極とを接地線によって接続した点、及び接地線を電柱に敷設した点を開示している。
【０００５】
ところで、地上から２．０ｍより低い範囲にある接地線は、自動車又は自転車などの通行車両及び通行人に接触することにより、接地線が破損されてしまうことがある。そのため、地上から少なくとも２．０ｍのまでの範囲の接地線を、保護部材によって覆い、保護することが規定されている。
【０００６】
この保護部材は、我が国の法律などにより、所定の絶縁性を有する材料を用いなければならないとされているので、所定の絶縁性を有するとともに加工が容易なものとして合成樹脂で形成された合成樹脂管が用いられている。
【０００７】
特許文献２には、電柱の根本を保護する技術が記載されている。この特許文献２には、電柱の根本及びその周囲の地表面を電柱カバーによって被覆することにより、電柱の根本の汚損や、電柱の周辺に雑草が繁殖することを防止する技術が記載されている。
【特許文献１】特開平１１−１８２５９号公報
【特許文献２】特開平１１−３５５９４６号公報
【発明の開示】
【発明が解決しようとする課題】
【０００８】
しかし、合成樹脂管は合成樹脂で形成されているので、合成樹脂管の強度は、金属で形成した管の強度と同じ強度を得ることができない。このため、強い外力が合成樹脂管に加わると、合成樹脂管がその外力によって、破壊され、ひいては、合成樹脂管の内部に設けられている接続線が断線してしまうことがある。
【０００９】
例えば、草を刈る作業者が、回転刃が回転するタイプの草刈機を用いて、電柱の根本の周囲に生えている草を刈ると、草刈機の回転刃が合成樹脂管に接触して、これが破壊されてしまう場合や、接続線が回転刃によって切断されてしまう場合がある。
【００１０】
そこで、特許文献２に記載された電柱の根本を保護する技術を適用することも考えられる。しかし、電柱の直径は、電柱に設置される電気機器の大きさに応じて規定されているので、特許文献２に記載の技術で電柱の根本を保護しようとすると、電柱の種類に応じた形状の電柱カバーが必要になる。したがって、特許文献２に記載の技術を適用しようとした場合には、多種の電柱カバーを製作して、電柱のサイズに合った電柱カバーを取り付けなければならなくなってしまう。
【００１１】
本発明は、このような問題点を解決するためになされるものであり、種々の電柱に簡単に取り付けをすることができ、かつ、電柱の根元付近の接続線を野焼きや草刈りの刃から十分に保護することができる接地線保護具及び草地設置用電柱を提供することを目的とする。
【課題を解決するための手段】
【００１２】
前記目的を達成するため、発明者は、合成樹脂管ひいては接地線を確実に、かつ、簡易に保護することができる以下の接地線保護具及び草地設置用電柱を発明した。
【００１３】
（１）  電柱の上部に設置された電気機器と地中に埋設された接地極との間を電気的に接続しかつ前記電柱の表面に前記電柱の軸方向に沿って固定された接地線において前記電柱の反対側に配置される接地線保護具であって、地中に埋設される埋設部と、該埋設部に隣接し地上に露出される露出部と、を有する硬質の板状部材を備えたことを特徴とする接地線保護具。
【００１４】
（１）に記載の発明によれば、板状部材の埋設部を地中に埋設させることにより、板状部材の露出部が、電柱の根元付近の接続線及び電柱の一部を覆うので、接続線を保護することが可能になる。また、接地線保護具は、異なる直径を有する電柱に設置させることができるので、従来のように、電柱の直径に応じた接地線保護具を用意する必要がなく、接地線保護具の形状を共通化させることができる。
【００１５】
（２）  前記板状部材は、前記埋設部及び前記露出部にわたり前記軸方向と略平行な折り曲げ線で折り曲げられていることを特徴とする（１）に記載の接地線保護具。
【００１６】
（２）に記載の発明によれば、接地線保護具は、接地線と板状部材の折り曲げ線とが互いに一致するように、電柱に設置されるので、板状部材は電柱の外周面に馴染むように、接地線の周囲を確実に覆うことが可能になる。
【００１７】
（３）  前記板状部材の平面形状は、前記埋設部及び前記露出部にわたり互いに平行な縁部を有する略縦長ホームベース状であり、前記縁部の伸びる方向は前記軸方向と平行であることを特徴とする（１）又は（２）に記載の接地線保護具。
【００１８】
（４）  前記埋設部の平面形状は、前記露出部の反対側のエッジとこれに交差する一方及び他方のエッジとによって形成される一方及び他方の角を有する矩形状であり、前記埋設部は、前記一方の角から所定の距離だけ離れた位置に設けられた仮想的な折り曲げ線で折り曲げられた一方の折り曲げ部分と、前記他方の角から所定の距離だけ離れた位置に設けられた仮想的な折り曲げ線で折り曲げられた他方の折り曲げ部分と、前記露出部から離れるにつれて先細りになる先端部分と、を有することを特徴とする（１）又は（２）に記載の接地線保護具。
【００１９】
（３）及び（４）に記載の発明は、埋設部において、露出部と反対側の形状が先細り形状となり、埋設部を地面に容易に差し込むことが可能になる。
【００２０】
（５）  前記板状部材は、前記軸方向に平行な方向に伸びる一方及び他方のエッジから所定の距離だけ離れた位置に設けられた折り曲げ線で折り返されていることを特徴とする（３）又は（４）に記載の接地線保護具。
【００２１】
（５）に記載の発明は、このようにすることにより、軸線方向における板状部材の剛性を高めることが可能になり、板状部材を引きはがそうとしも、板状部材が変形しないようになる。また、折り返された部分に厚みがあれば、板状部材の表面を平面又はなだらかな曲線とすることが可能になり、接地線保護具の外観が良くなる。
【００２２】
（６）  前記露出部は、前記埋設部と反対側のエッジから所定の距離だけ離れた位置に設けられた折り曲げ線で折り曲げられていることを特徴とする（１）から（５）のいずれかに記載の接地線保護具。
【００２３】
（６）に記載の発明はそのようにすることにより、露出部の折り曲げられた部分は、それ以外の露出部よりも強度を有する。このため、折り曲げられた部分をハンマー等で叩いて接地線保護具を地面に埋設させることができる。
【００２４】
（７）  前記露出部は、該露出部のうち、前記埋設部に隣接する部分の少なくとも一部を含む所定の範囲に、前記露出部と前記埋設部との境界を示す指標部を有することを特徴とする（１）から（６）のいずれかに記載の接地線保護具。
【００２５】
（７）に記載の発明は、そのようにすることにより、接地線保護具を設置する作業者は、指標部を頼りに、板状部材の埋設部を確実に地面に埋設させることができる。
【００２６】
（８）  前記露出部と前記電柱との間に前記接地線を配置して、前記板状部材を前記電柱に固定する固定部を備えることを特徴とする（１）から（７）のいずれかに記載の接地線保護具。
【００２７】
（８）に記載の発明は、接地線保護具を固定する固定部によって板状部材を電柱に固定することが可能になる。このため、接地線保護具は、電柱に固定するための例えばステンレスバンドを別途用意する必要がない。
【００２８】
（９）  前記露出部は、前記露出部と前記電柱との間に前記接地線を配置して、前記板状部材と前記接地線とを前記電柱に取り付けるための帯状部材が巻かれる位置を示す取付位置表示部を有することを特徴とする（１）から（７）のいずれかに記載の接地線保護具。
【００２９】
（９）に記載の発明は、帯状部材が巻かれる位置を示す取付位置表示部を有するので、作業者は、帯状部材を巻き付ける位置を簡単に特定することができ、作業者の作業性が向上する。
【００３０】
（１０）  前記露出部は、前記露出部と前記電柱との間に前記接地線を配置して、前記板状部材と前記接地線とを前記電柱に取り付けるための帯状部材が配置される孔部若しくは溝部又はこれらの組み合わせを有することを特徴とする（１）から（７）のいずれかに記載の接地線保護具。
【００３１】
（１０）に記載の発明は、帯状部材を孔部又は溝部に適合させることで、帯状部材の上下方向の移動が規制され、帯状部材が移動しないため、板状部材を電柱に巻き付ける作業が容易になる。
【００３２】
（１１）  前記露出部は、前記接地線に関する情報を表示する接地線表示部を設けたことを特徴とする（１）から（１０）のいずれかに記載の接地線保護具。
【００３３】
（１１）に記載の発明によれば、接地線保守作業者が接地線表示部を見るだけで、接地線保護具が保護している接地線の種類を簡単に判断することができる。
【００３４】
（１２）  前記板状部材は、ステンレス材料であることを特徴とする（１）から（１１）のいずれかに記載の接地線保護具。
【００３５】
（１２）に記載の発明によれば、接地線保護具は高い剛性を有しかつ腐食しにくくなるので、接地線保護具は確実に接地線を保護することが可能になる。
【００３６】
（１３）  （１）から（１２）のいずれかに記載の接地線保護具と、該接地線保護具を帯状部材によって巻き付け固定された電柱と、を備え、該電柱は地面に下部が埋設され、接地線が取り付けられており、前記接地線は前記電柱の軸線方向に伸びるように配置され前記接地線保護具によって覆われたことを特徴とする草地設置用電柱。
【００３７】
（１３）に記載の発明は、上記（１）から（１２）に記載の接地線保護具を備えることができる。
【発明の効果】
【００３８】
本発明の接地線保護具及び接地線保護具付き電柱によれば、取り付けが簡単で、電柱の根元付近の接続線の保護が容易に可能になり、電柱の根元付近の接続線が大きな外力によって断線するといった不具合を未然に防ぐことが可能になる。
【発明を実施するための最良の形態】
【００３９】
以下、本発明の実施形態について、添付した図面を参照しながら詳細に説明する。
【００４０】
＜第１の実施形態＞
図１は本発明の第１の実施形態の接地線保護具を示す斜視図であり、図１（ａ）は正面側、図１（ｂ）は背面側を示す。図２は電柱に接地線保護具を取り付ける各種部材の位置関係を示す説明図である。図３は図１の接地線保護具を電柱に取り付けた状態を示す斜視図である。図４は電柱に保護具を取り付けた状態を示す説明図である。図５は、図１に示す接地線保護具の設置を行う作業状態を示す説明図である。
【００４１】
＜接地線保護具＞
図１を参照するに、接地線保護具１は、例えば、縦４０ｃｍ、横１０ｃｍ、厚さ０．１ｍｍ〜５ｍｍの長方形のステンレス材料からなる板状部材１１に曲げ加工を施すことによって製造される。
【００４２】
したがって、作業者は、板状部材１１を量販店で購入し、接地線保護具を取り付けようとする作業者が通常携帯している工具を用いることにより、購入したステンレス板を切断、曲げ加工をすることができる。このため、作業者が接地線１０（図２参照）の点検を行った結果、その接地線１０を接地線保護具１で保護する必要があると判断した場合、直ちに、接地線保護具１を電柱２に取り付けることができる。
【００４３】
さらに、接地線保護具１は、これがステンレスによって構成されているため、雨水に晒されていても、高い剛性を有しかつ腐食しにくい。このため、接地線保護具１は、確実に接地線１０を保護することが可能になる。
【００４４】
図１（ａ）に示すように、曲げ加工は、板状部材１１の長辺に平行な曲げ線１ａに沿って行われる。曲げ部１ａの曲げ角度は、例えば、１４０°に設定される。板状部材１１のサイズ及び曲げ部１ａの角度は、これらの値に限るものではなく、後に、図４を参照して説明するように、合成樹脂管３を覆いかつ接地線保護具１の両側部が電柱２に当接することが可能な程度であればよい。
【００４５】
曲げ線１ａに沿って曲げられた部分が峰のようになっている板状部材１１の面は表面Ａ（図１（ａ）参照）とされ、表面Ａと反対側の面を背面Ｂ（図１（ｂ）参照）とされる。
【００４６】
したがって、背面Ｂには凹状の部分が形成されている。板状部材１１は、例えば、ステンレス板、さび防止処理用のメッキを表面に施した金属板などからなる。板状部材１１は、地中に埋設される埋設部１１ａと、埋設部１１ａに隣接し地面Ｇ（図３参照）から露出される露出部１１ｂとを有する。
【００４７】
埋設部１１ａは２つの折り返し部１ｂ及び１ｂを有する。折り返し部１ｂ及び１ｂは、それぞれ、露出部１１ｂの反対側の短辺の両端に位置する角部１２ａ及び１２ａを頂点とする。各折り返し部１ｂは、ほぼ直角三角形の形状を有する。折り返し部１ｂ及び１ｂは板状部材１１の背面Ｂに密着されている。
【００４８】
また、露出部１１ｂは２つの折り返し部１ｂ’及び１ｂ’を有する。折り返し部１ｂ’及び１ｂ’は、それぞれ、埋設部１１ａの反対側の短辺の両端に位置する角部１２ｂ及び１２ｂを頂点とする。各折り返し部１ｂ’は、折り返し部１ｂより小さい、ほぼ直角三角形の形状を有する。折り返し部１ｂ’及び１ｂ’は板状部材１１の背面Ｂに密着されている。しかし、折り返し部１ｂ’及び１ｂ’は角部１２ｂ及び１２ｂから所定の距離を置いた位置で切り落とされていてもよい。
【００４９】
このため、埋設部１１ａにおいて折り返し部１ｂ，１ｂの近傍は先細りの略Ｖ字形状を有している。したがって、接地線保護具１を表面Ａから正面視した場合、板状部材１１の平面形状は略縦長ホームベース形状である。また、曲げ部１ａの曲げ基準となる仮想的な直線１ａは、ホームベース形状を左右対称に分ける。
【００５０】
＜電柱＞
図２に示すように、電柱２は、電柱２の伸びる方向が地面Ｇに対して略直角になるように、電柱２の一端部が埋設されている。電柱２の他端部すなわち電柱２の上部には、トランスのような電気機器１０ｂが取り付けられている。
【００５１】
電柱２の表面Ｓには、接地線１０がこれの伸びる方向と電柱２の伸びる方向とが平行になるように、配置されている。接地線１０は合成樹脂管３の内部に通されており、合成樹脂管３の外部と接地線１０との間の電気的な接続を防止している。したがって、接地線１０の一端と他端との間は、電気的に絶縁状態で電柱の２の表面Ｓに取り付けられている。
【００５２】
地面Ｇから電気機器１０ｂに向かって（上方に向かって）２．０ｍの位置より高い範囲における接地線１０は、電柱２の表面Ｓに、帯状の複数のステンレスバンド４によって合成樹脂管３を介して固定されている。ステンレスバンド４は、帯状部材として作用する。
【００５３】
地面Ｇから地上２．０ｍの位置と地面Ｇから地下０．７５ｍの位置との間の範囲Ｌにおける接地線１０は、合成樹脂管３の内部に配置されている。なお、我が国は、範囲Ｌ内にある接地線１０を合成樹脂管３によって保護することが規定されている。合成樹脂管３はステンレスバンド４によって電柱２の表面Ｓに固定されている。
【００５４】
接地線１０の一端は電気機器１０ｂの金属ケース、避雷器、その他接地を必要とする部材に電気的に接続されている。接地線１０の他端は地中に埋設された接地極１０ａに電気的に接続されている。接地線１０における一端と合成樹脂管３の上端との間における所定の位置に柱体外接地測定端子１２が設置されている。
【００５５】
＜接地線保護具の取り付け状態＞
図３に示すように、接地線保護具１は、埋設部１１ａが地面Ｇに埋設され、かつ、露出部１１ａが地面Ｇから露出された状態になるように、電柱２の表面Ｓに配置されている。埋設部１１ａの長さ寸法は、例えば、２０ｃｍ程度に設定される。
【００５６】
さらに、接地線保護具１は、接地線１０を接地線保護具１と電柱２との間に配置した状態で、ステンレスバンド４によって電柱２に取り付けられている。ステンレスバンド４は、例えば、地面Ｇから１０ｃｍの位置に取り付けられる。これにより、図３及び図４に示すように、接地線保護具１は、電柱２の表面Ｓに電柱２の軸方向に沿って固定された接地線１０において電柱２の反対側に配置される。これにより、接地線保護具１の背面Ｂが電柱２の表面Ｓに当接させるとともに、背面Ｂの凹状部分と電柱２の表面Ｓとにより形成される空間に合成樹脂管３ひいては接地線１０が配置されている。
【００５７】
＜接地線保護具の取り付け方＞
図５に示すように、以下の手順で、接地線保護具１を電柱２に取り付ける。
【００５８】
まず、作業者Ｘは、電柱２の根元における合成樹脂管３付近の土を掘り、埋設されていた合成樹脂管３を露出させ、合成樹脂管３及び接地線１０に破損や傷がないこと及び合成樹脂管３を電柱２に固定しているステンレスバンド４の取り付け位置を目視により確認する。
【００５９】
すでに、ステンレスバンド４ｂが、接地線保護具１を配置しようとする位置に対応する合成樹脂管３の位置に取り付けられている場合、下側のステンレスバンド４ｂも接地線保護具１によって覆い、新たなステンレスバンド４ａによって固定する。そのようにすることにより、ステンレスバンド４ｂを切断する必要がないため、接地線保護具１の取付作業が簡単になる。
【００６０】
しかし、ステンレスバンド４ｂを切断し、切断されたステンレスバンド４ｂを電柱２から取り除いてもよい。そのようにすることにより、接地線保護具１を電柱２に設置した際に、合成樹脂管３のみを固定するステンレスバンド４ｂがないので、合成樹脂管３の表面には、ステンレスバンド４ｂによる段差がない。その結果、接地線保護具１の背面Ｂと電柱２の表面Ｓ及び合成樹脂管３との間に隙間が形成されたり、接地線保護具１が電柱２に対して若干斜めになったりすることがないので、接地線保護具１を取り付けた電柱２の外観が良くなる。
【００６１】
次に、作業者Ｘは、接地線保護具１の背面Ｂを電柱２の表面Ｓ及び合成樹脂管３に当接させた状態を維持しながら、接地線保護具１の埋設部１１ａの先端を地中に差し込んで仮固定をする。接地線保護具１の埋設部１１ａにおいて先端から５ｃｍ程度の領域が先細り状に形成されているので、埋設部１１ａの先細り状の部分を地中に差し込むことにより、接地線保護具１を地上に安定して建てることができる。
【００６２】
もし、接地線保護具１の仮固定の状態が安定しない場合には、作業者Ｘは、掘り出した土をすこし埋めて、合成樹脂管３の露出量を少なくする。このようにすることにより、接地線保護具１の仮固定の状態が安定する。
【００６３】
次に、作業者Ｘは、露出部１１ｂに帯状のステンレスバンド４を電柱２に巻き付けて、接地線保護具１を電柱２に固定する。そして、図３に示すように、作業者Ｘは、掘り出された土で埋設部１１ａを埋める。
【００６４】
このように、接地線保護具１は、長方形のステンレス板に単純な曲げ加工を施すことによって作成されるため、安価に製造することが可能になる。しかも、埋設部１１ａの先細り部分を地面に差し込むことによって、接地線保護具１を仮固定させることができるので、接地線保護具１の取り付け作業が簡単になり、接地線保護具１の取付作業に係るコストを低減することが可能になる。さらに、接地線保護具１を電柱２に取り付けることにより、電柱２の根元付近の合成樹脂管３が保護され、例えば、接地線保護具１に草刈機の回転刃が接触したとしても、合成樹脂管３ひいては接続線１０に損傷を与えることを防止することができる。
【００６５】
なお、接地線保護具１は、長方形のステンレス板に曲げ加工を施すことによって作成されているとしたが、縦長ホームベース形状のステンレス板に曲げ加工を施すことによって作成してもよい。さらには、接地線保護具１の埋設部１１ａの先端形状はＶ字型に限らず、先端を弧状にしてＵ字型に形成してもよい（図６参照）。
【００６６】
＜第２の実施形態＞
図６は、第２の実施形態における接地線保護具１’を示す正面図である。接地線保護具１’には、図１に示す接地線保護具１の露出部１１ｂに、図６に示すような長方形の孔部１ｃが形成されている。
【００６７】
接地線保護具１’の幅Ｗは、５ｃｍ〜２０ｃｍ、好ましくは、７ｃｍ〜１５ｃｍの範囲に設定される。図示の例では、幅Ｗは約１０ｃｍに設定されている。接地線保護具１’の長さＬは、３０ｃｍ〜５０ｃｍ、好ましくは、３５ｃｍ〜４５ｃｍの範囲に設定される。図示の例では、長さＬは約４０ｃｍに設定されている。接地線保護具１’のＵ字型の寸法ｎは、５ｃｍ以上に設定することが好ましい。接地線保護具１’の孔部１ｃが形成されているＵ字型の付け根から寸法ｍは、５ｃｍ〜１５ｃｍの範囲に設定することが好ましい。図示の例では、寸法ｍは１０ｃｍに設定されている。
【００６８】
この孔部１ｃはステンレスバンド４が配置される位置に形成されている。孔部１ｃの縦方向の幅寸法は、ステンレスバンド４が適合する程度の寸法に設定されている。なお、接地線保護具１’には、孔部１ｃの代わりに凹状の溝部が形成されていてもよいし、孔部と溝部との組み合わせが形成されていてもよい。具体的には、ステンレスバンド４の伸びる方向において、溝部、孔部、溝部がこの順番に形成されていてもよい。
【００６９】
また、接地線保護具１’の露出部１１ｂは、埋設部１１ａと露出部１１ｂとの境界を示す指標部１ｄを有する。したがって、指標部１ｄは、露出部１１ｂのうち、埋設部１１ｂに隣接する部分の少なくとも一部を含む範囲に形成されている。
【００７０】
また、接地線保護具１’の露出部１１ｂは、電柱２に関連する各種の情報を表示する情報表示部１ｅを備えている。したがって、作業者は、例えば、情報表示部１ｅを確認するだけで、電柱２の上部に取り付けられた電気機器１０ｂの種類を知ることができる。指標部１ｄ、情報表示部１ｅは、着色、シール部材の貼付あるいは刻印等によって表示されている。
【００７１】
接地線保護具１’を設置する作業者は、指標部１ｄを頼りに、板状部材１１の埋設部１１ａを確実に地面Ｇに埋設させることができる。指標部１ｄが地面Ｇに位置するように接地線保護具１’を固定することにより、孔部１ｃの位置すなわちステンレスバンド４を取り付ける位置も明らかになる。このため、作業者は、ステンレスバンド４を取り付ける位置を計測する手間を省略することができる。
【００７２】
孔部１ｃがステンレスバンド４に形成されていることにより、ステンレスバンド４の上下方向の移動が規制される。このため、作業者がステンレスバンド４を取り付ける作業を行っている間に、ステンレスバンド４の位置がずれるという不具合の発生を防止することができる。また、ステンレスバンド４を取り付ける作業が完了した後に、接地線保護具１’の上下方向の外力が接地線保護具１’に作用しても、ステンレスバンド４から接地線保護具１’が外れるという不具合の発生を防止することができる。
【００７３】
また、接地線１０の種類は、電柱２に設置されている電気機器１０ｂの種類又は接地を必要とする対象物に応じて異なるので、情報表示部１ｅは、例えば、設置されている接地線１０の種類を表示させる。ここで、電柱２に複数の接地線１０が設置されているときは、これらに対応する接地対象物を情報表示部１ｅに併記してもよい。
【００７４】
＜第３の実施形態＞
図７は、第３の実施形態における接地線保護具１’’を示す斜視図である。露出部１１ｂは、図６に示す接地線保護具１’の孔部１ｃの代わりに、接地線保護具１’’を電柱２に固定するステンレスバンド４ｃを有している。このステンレスバンド４ｃは、板状部材１１を電柱２に固定する固定部として作用する。ステンレスバンド４ｃの中央部４ｄを露出部１１ｂの曲げ部１ａに溶接のような接続手段により固定されている。
【００７５】
＜第４の実施形態＞
図８は、第４の実施形態における接地線保護具１’’’を示す説明図であり、図８（ａ）は背面図、図８（ｂ）は平面図である。
【００７６】
接地線保護具１は長方形のステンレス板に曲げ加工を施すことによって作成されているが、接地線保護具１’’’は、ホームベース形状のステンレス板に曲げ加工を施すことによって作成されている。
【００７７】
接地線保護具１’’’は、ホームベース形状の板状部材１１の中心線に曲げ部１ａが形成されている。曲げ部１ａの曲げ方向は、板状部材１１の両側部に平行である。板状部材１１の両側部には、円柱側面の一部を形成するように、丸められた折り返し部１ｆ，１ｆが形成されている。
【００７８】
接地線保護具１’’’の両側部には、折り返し部１ｆ，１ｆが形成されたことにより、接地線保護具１’’’の表面Ａ又は背面Ｂに直交する方向の剛性は大きくなる。このため、接地線保護具１’’’を引きはがそうとする力が加わってしまっても、接地線保護具１’’はほとんど変形しなくなる。さらに、折り返し部１ｆ，１ｆの高さ寸法Ｈを適宜設定することによって、曲げ部１ａの角度を大きくする（すなわち１８０°に近づける）ことが可能になり、曲げ部１ａの付近の凸形状を目立たなくすることが可能になる。
【００７９】
＜第５の実施形態＞
図９は、第５の実施形態における接地線保護具１’’’’を示す斜視図である。
【００８０】
第５の実施形態の接地線保護具１’’’’の露出部１１ｂは、埋設部１１ａの反対側のエッジから所定の距離だけ離れた位置に設けられた折り曲げ線１ａ’で折り曲げられている曲げ部１ｇを形成している。換言すると、ホームベース形状の上部、すなわちホームベース形状の中心線方向において、折り返し部１ｂ、１ｂが形成された側の反対側に、接地線保護具１の凸面側すなわち表面Ａ側に曲げ加工を施してなる曲げ部１ｇ，１ｇが形成されている。
【００８１】
このように接地線保護具１’’’’によれば、露出部１１ｂに曲げ部１ｇ，１ｇを形成したことにより、例えば、接地線保護具１’’’’を設置する地面Ｇが固く、接地線保護具１’’’’を地面Ｇに差し込むことが困難な場合、木槌のような工具を使用して曲げ部１ｇ，１ｇをその工具で叩くことにより、接地線保護具１’’’’を所定の深さまで確実に差し込むことができ、ステンレスバンド４の巻き付け作業を容易に行うことが可能になる。
【００８２】
なお、接地線保護具１’’’’は、図６に示す孔部１ｃや指標部１ｄを設けてもよい。
【産業上の利用可能性】
【００８３】
本発明は、接地工事に関わる分野において利用可能である。
【図面の簡単な説明】
【００８４】
【図１】本発明に係る第１実施形態の接地線保護具を示す斜視図であり、（ａ）は正面側、（ｂ）は背面側を示す。
【図２】図１に示す接地線保護具を電柱に取り付けた状態であって本発明に係る草地設置用電柱を示す説明図である。
【図３】図１に示す接地線保護具を電柱に取り付けた状態を示す斜視図である。
【図４】図１に示す接地線保護具を電柱に取り付けた状態を示す平面図である。
【図５】図１に示す接地線保護具を電柱に取り付ける作業状態を説明する説明図である。
【図６】本発明に係る第２の実施形態における接地線保護具を示す正面図である。
【図７】本発明に係る第３の実施形態における接地線保護具を示す斜視図である。
【図８】本発明に係る第４の実施形態における接地線保護具を示す説明図であり、（ａ）は背面図、（ｂ）は平面図である。
【図９】本発明に係る第５の実施形態における接地線保護具を示す斜視図である。
【符号の説明】
【００８５】
１、１’、１’’、１’’’、１’’’’…接地線保護具
１ａ…曲げ部
１ｂ、１ｆ…折り返し部
１ｃ…孔部
１ｄ…指標部
１ｅ…情報表示部
２…電柱
３…合成樹脂管
４…ステンレスバンド
１０…接地線
１０ａ…接地極
１１…板状部材
【図１】
2006353069.tif 000003
【図２】
2006353069.tif 000004
【図３】
2006353069.tif 000005
【図４】
2006353069.tif 000006
【図５】
2006353069.tif 000007
【図６】
2006353069.tif 000008
【図７】
2006353069.tif 000009
【図８】
2006353069.tif 000010
【図９】
2006353069.tif 000011